(57)【要約】      （修正有）【課題】なにも加工いていない杭頭を、杭の内径に入ったままで、把持が出来るヤットコにおいて、強固で確実な把持脱着作業を、短時間で行うこと。【解決手段】杭頭の内周面を押し広げて把持する一対以上のパッドを前記一対以上のパッド（１０）を油圧等により上下動する先端金物(50)のくさび作用と蟻溝で開閉し固定するように構成したことを特徴とする基礎杭用ヤットコ。【選択図】図１
2006322150.tif 000002
【特許請求の範囲】
【請求項１】
杭頭の内周面を押し広げて把持する一対以上のパッドをその下端が開閉自在となるようヤットコ 本体に枢着するとゝもに、前記一対以上のパッドを油圧等により上下動するウエッジのくさび作用で開閉し固定するように構成したことを特徴とする基礎杭用ヤットコ 。
【請求項２】
請求項１基礎杭用ヤットコにおいて、杭頭の内周面を押し広げて把持するパッドを油圧等で、加圧して杭頭の内周面に食い込ませて固定力をあげる外周受け装置。
【発明の詳細な説明】
【技術分野】
【０００１】
本発明は、基礎杭を地中に打ち込む際に、その杭頭に連結して基礎杭の先端を支持地盤まで打ち込むために使用するヤットコ 、更に詳しくは、杭頭に対し着脱自在としたヤットコ に関する。
【背景技術】
【０００２】
基礎杭用ヤットコには、杭頭を把持し着脱自在となる装置を備えたものがあるが、この種従来の着脱装置は、杭外形より大きな装置として形成されていて、使用に当たっては、杭頭に軸や強め材を追加加工して用いなければならいものであった、
【０００３】
或いは、大きな回転力を伝えられないという欠点があった。
【特許文献１】特公平７−１０３５６６号公報
【特許文献２】特公平７−１０３５６５号号公報
【特許文献３】特公平７−１０３５６４号公報
【発明の開示】
【発明が解決しようとする課題】
【０００４】
解決しようとする問題点は、なにも加工いていない杭頭を、杭の内径に入ったままで、把持が出来るヤットコにおいて、強固に確実に、把持脱着する。
【課題を解決するための手段】
【０００５】
本発明は、上記のような従来の諸問題点を解決するために成されたもので、基礎杭の杭頭に対するヤットコ の装着及び解除作業を、短時間で行うことが出来るものを提供することを目的としたものであり、その要旨は、杭頭の内周面を押し広げて把持する一対以上のパッドを前記一対以上のパッド（１０）を油圧等により上下動する先端金物(50)のくさび作用と蟻溝で開閉し固定するように構成したことを特徴とする基礎杭用ヤットコにある。
【発明の効果】
【０００６】
本発明に係る基礎杭用ヤットコ は、上記のように、杭頭の内周面を挟持するバッド付き可動体のバッドの把持接触面が出入り自在となるようヤットコ 本体に枢着するとゝもに、油圧等により上下動する先端金物のくさび作用で固定する構成であるから、基礎杭の杭頭に対するヤットコ の把持及び解除作業を、遠隔操作により安全に且つ短時間で行うことが出来るとゝもに、反復使用できる効果がある。
【発明を実施するための最良の形態】
【０００７】
基礎杭の杭頭に加工物を設置することなく、杭頭の内周面を押し広げて及び解除作業を、現状の基礎杭の杭頭に加工物を設置することなく実現した。
【実施例１】
【０００８】
図１は、本発明に係る基礎杭用ヤットコ の１実施例を示した全体説明図であり、バッド（１０）は、可動体（２０）に、クランプ（４０）で脱着自在に設置一体となっていて、杭頭（１００）の中心側は、先端金物（５０）に接していて、接触面に蟻溝（２１）が具備してある。
【０００９】
先端金物（５０）は、油圧シリンダ−軸（６１）と一体となり油圧シリンダ−（６０）の駆動力を伝達せしめる、油圧シリンダ−（６０）の上部は、ホルダー（３０）に、脱着自在に設置して  、なお下部で可動体（２０）のガイドホルダーを形成している。
【００１０】
ホルダー（３０）の上部外周には、キー（７５）が具備してあり、ヤットコ（８０）内部に脱着自在に挿入して、位置決めピン（７０）にて強固に取り付けてあり、ヤットコ（８０）上端は、本体（９０）と強固に連結いてある。
【００１１】
ヤットコ（８０）を、杭頭（１００）の管内に、上部より挿入して、位置決め部（８２）に設置後、油圧シリンダ−（６０）の外部からの駆動により、油圧シリンダ−軸（６１）を下方に移動すると、図１、図３に示す、先端金物（５０）が移動する事により、図２、図４に示す可動体（２０）と一体となってパッド（１０）が、杭頭の内周面に広がりヤットコ（８０）と杭頭（１００） が一体となって把持が完了する。
【００１２】
本体からの押し込み加重は、本体（９０）、ヤットコ（８０）、位置決め部（８２）、杭頭（１００）と伝達し、回転力は、本体（９０）、ヤットコ（８０）、キー（７５）、ホルダー（３０）、可動体（２０）、パッド（１０）、杭頭（１００）の内周面、より杭頭（１００）へと伝達される。
【００１３】
前記パッド（１０）、杭頭（１００）の内周面へのトルクの伝達は、図７に示すパッド（１０）の接触面（１１）には、杭頭（１００）の内周面硬度とトルクの大きさにより
適した形状と本数の溝を具備したパッド（１０）に取り替えて確実に伝達される。
【００１４】
実施例の溝形状は、図８、図９、図１０の溝であり、杭頭（１００）の内径寸法により接触半径も変更する。
【００１５】
さらに、油圧シリンダ−（６０）の外部からの駆動により、油圧シリンダ−軸（６１）を上方に移動すると、図２、図４に示す、先端金物（５０）が移動する事により、蟻溝（２１）によって可動体（２０）が内側に移動して、パッド（１０）が、杭頭の内周面にからはずれて把持の解除作業が行われる。
【００１６】
本発明の他の一つは、図５、図６、に示すごとく、杭頭（１００）の外周に、当てがね（１１０）を、施工前に取り付けて、ヒンジ（１１１）、締結ボルト（１１２）で外管に設置して、図７に示すごとく、可動体（２０）で加圧して、、パッド（１０）と杭頭（１００）の接触面（１１）を加圧して食い込まし、伝達トルクを確実にすることができる。
【図面の簡単な説明】
【００１７】
【図１】本発明に係る基礎杭用ヤットコ の１実施例を示した全体説明図である。
【図２】同ヤットコの動作説明図である。
【図３】同ヤットコの可動体実施断面図である。
【図４】同ヤットコ動作説明用の可動体実施断面図である。
【図５】同ヤットコの動作前説明図である。
【図６】同ヤットコ動作前説明用の可動体実施断面図である。
【図７】同ヤットコのバッド面食い付き部説明図である。
【図８】同ヤットコのバッド面に具備した一実施例の溝形状図である。
【図９】同ヤットコのバッド面に具備した一実施例の溝形状図である。
【図１０】同ヤットコのバッド面に具備した一実施例の溝形状図である。
【符号の説明】
【００１８】
１０    バッド
１１    接触面
２０    可動体
２１    蟻溝
３０    ホルダー
４０    クランプ
５０    先端金物
６０    油圧シリンダ−
６１    油圧シリンダ−軸
７０    位置決めピン
７５    キー
８０    ヤットコ
９０    本体
８２    位置決め部
１００    杭頭
１１０    当てがね
１１１    ヒンジ
１１２    締結ボルト
【図１】
2006322150.tif 000003
【図２】
2006322150.tif 000004
【図３】
2006322150.tif 000005
【図４】
2006322150.tif 000006
【図５】
2006322150.tif 000007
【図６】
2006322150.tif 000008
【図７】
2006322150.tif 000009
【図８】
2006322150.tif 000010
【図９】
2006322150.tif 000011
【図１０】
2006322150.tif 000012